(57)【要約】【課題】      本発明の課題は、長日時外気に曝され、時折行われる消毒等に依る内外両面の物理的、化学的付着物で曇化した園芸ハウス等の被覆シートを特定の浸漬液内に浸漬して清浄化して再利用する方法並びに装置を提供する事である。【解決手段】      上記課題を解決する為に、本発明の方法及び装置は、清浄化されるべき園芸ハウスシートを含む農業園芸用シートをケージ内に収納するか或いはせずして準備し、自動的又は手動的に、此れを適量の重曹、市販洗剤、酢酸、天然ミネラルウォーター等を混合した浸漬混合液浴槽内に浸漬し、其の表裏両面に付着又は滞留する気泡又は空気を排除し且つ伸張しつつ，一定時間浸漬清浄化し、乾燥し、ロール化するか又は折畳んで再生品とする様構成した事を特徴とする。【選択図】図３
2010089063.tif 000002
【特許請求の範囲】
【請求項１】
園芸ハウスの透明外被シート又は農作物保温トンネル型シートを分解剥離又は取り外し、その幅方向から可及的に平滑面を維持しつつ浸漬液浴槽内に誘導浸漬するか、或いは折畳んで直接浸漬し、其の表面に気泡を付着させる事なく所定時間浸漬して清浄化し、此の清浄化したシートを脱水化又は乾燥化した後、ロール化するか折畳んで出荷する事を特徴とする前記シートの清浄化リサイクル方法。
【請求項２】
前記浸漬液が、所定割合の水道水又は井戸水、発酵或いは工業用酢酸、重炭酸ソーダー、通常の市販洗剤、天然のミネラルウオーター等の混合液体である事を特徴とする請求項１記載の園芸ハウス外被シートの清浄化リサイクル方法。
【請求項３】
前記浸漬液が、所定期間処理使用後ろ過されて追加的に再使用される事を特徴とする請求項１及び２何れかに記載の園芸ハウス外被シートの清浄化リサイクル方法。
【請求項４】
前記浸漬液浴槽内の透明外被シートの両面が、所定場所、所定数の遊びローラー及びテンションハンガー等で可及的に平滑化される事を特徴とする請求項１乃至３の何れかに記載の園芸ハウス外被シートの清浄化リサイクル方法。
【請求項５】
前記園芸ハウス外被シートが、前記浸漬液浴槽に誘導される前に、その両面上をブラッシングされる事を特徴とする請求項１乃至４の何れかに記載の園芸用外被シートの清浄化リサイクル方法。
【請求項６】
前記各請求項記載の園芸ハウス外被シートの清浄リサイクル方法が、手動的又は自動的特にコンピューター管理下で自動的に行われる事を特徴とする清浄化リサイクル方法。
【請求項７】
園芸ハウスから剥離された被処理透明外被シートを、其の両面に付着したダストを除去しつつ清浄浸漬液浴槽内に導入し、適当な緊張手段で其の両面を可及的平滑に伸張させつつ、所定時間前記浴槽内に浸漬滞留させ、残存する両面上の付着気泡、異物を脱気、沈降又は溶解除去し、脱水又は乾燥後、ロール化するか折畳んで出荷する事を特徴とする園芸ハウス外被シートの自動清浄化リサイクル装置。
【請求項８】
前記清浄浸漬液が、一個の混合タンク内で混合され、タイマー付電磁弁を介して前記浸漬液浴槽内に定期的に給送される事を特徴とする請求項７記載の園芸ハウス外被シートのリサイクル装置。
【請求項９】
前記清浄浸漬液が、所定処理時間後適宜抜き取られ、適当に濾過されて前記混合タンクに返還され、新清浄浸漬液を適当に混合して再利用される事を特徴とする請求項７又は請求求項８何れかに記載の園芸ハウス外被シートの清浄化リサイクル装置。
【請求項１０】
前記園芸ハウス外被シートのリサイクル装置が、コンピューター管理下で制御される事を特徴とする請求項７乃至９何れか一項に記載の園芸ハウス外被シートの清浄化リサイクル装置。
【請求項１１】
園芸ハウスから剥離された比較的小寸法の被処理外被シート又は農作物トンネル型保温被蓋を分解して回収した被処理シートの表裏両面上の異物を夫々適宜除去した後、適当なケージ内に折畳むか、或いは任意に丸めて収納するか、又は収納せずして、前記浸漬液浴槽内或いは浴槽外に配置し、其の一端を浴槽内に設けられた適当な給送及び／又は延伸手段を介して引伸ばし、それと同時に、前記シートの表面に滞留又は付着した空気又は気泡を除去しつつ、所定時間前記液槽内で清浄化し、適宜脱水又は乾燥後、ロール化するか折畳んで出荷する事を特徴とする前記シートの手動清浄化リサイクル装置。
【発明の詳細な説明】
【発明の詳細な説明】
【技術分野】
【０００１】            本発明は、園芸ハウス外被シート等の清浄化リサイクル方法及び装置に関する。
【技術的背景】
【０００２】            周知の如く、園芸ハウスは、通常、農作物栽培地に軽量フレーム材例えばアルミパイプ、プラスチックパイプ等を使用して、適当な形状例えば蒲鉾状，ハウス状、或いはドームハウス状のフレーム骨格を形成し、其の上を日光透過性，耐天候性、保温性、耐薬品性等の性質を備えた合成樹脂シート又はフィルムで被覆し、その内外側に適当なサイズの通風機、加温機，照明器具等を取り付け，栽培者並びに栽培器具等が出入りできる開閉扉を装着した全天候型の農作物栽培施設である。
【０００３】            斯くの如き構成より成る園芸ハウスの最も重要な条件は、施設資材が安価で軽量且つ丈夫であり、更に長期に亘り良好な光透過性を維持できる特性を持つ事である。
【０００４】            総じてフレーム資材のアルミ又はプラスチック材は、その材質が改良されて全体的に堅牢性を増して来ているが、此れを覆う透明合成樹脂シートは、反復して長期に亘り使用した場合、内外からの物理的、化学的汚染や直射日光による材質の劣化等によって、施設内の保温性や紫外線の透過率等が低下して、内部の栽培作物の成長、色合い，糖度、酸味等の味付け具合等を不良にする不都合が生じていた。
【０００５】            此の様な不都合は、長期に亘る直射日光の紫外線、酸性雨、諸種の煤煙等に依るシートの分子構造の劣化が原因の光透過性の低下と、その外面に付着する黄砂，煤煙，微細浮遊塵等の付着物並びに内側に付着する消毒時の薬品微粒子、保温加熱用の機器の煤煙、農作業中の浮遊塵等の作用が原因のシート自体の曇化現象によるものである。
従って、従来から、塩化ビニール、ポリエチレン、ポリプロピレン等の比較的安価なシートは、所定期間使用した後、ハウスから剥離されて取り替えられ，廃棄物として処分されるのが普通であった。
【０００６】            近時、化石燃料の高騰に依り、此れ等資材も又高騰し、園芸農業の興隆と共に，その使用量が増大するこの種資材の長期使用並びに再使用の問題が、一次産業並びに二次産業両現場で種々提議されるに至っている。
【０００７】            ここに至るまでも無く此れ等資材の特性を改善する為に、例えばポリ塩化ビニール，ポリオレヒン、ポリエチレン、ポリプロピレンシートの合成に於いて、上記した材質劣化や曇化を防止又は遅延させる為の種々な単体又は共重合体の合成樹脂が提案されて、それなりの効果を挙げている。
然しながら、膨大な量のこの種資材廃棄物の有効な再利用法は未だ提案されていないのが実情である。
【０００８】            一方、近年に至り、この種園芸ハウスに付着するダスト、薬物等を、その内外側から物理的に洗浄して、此れ等付着物に依るハウスの曇化を改善する装置が提案され、それなりの効果を挙げるに至っている。
【特許文献１】            特開平８−７０７０９
【０００９】            然しながら此の装置は、園芸ハウスの外側に付着し、シート曇化の一原因となるごみ例えば砂埃、煤煙粒子等の物理的付着物を洗い流す一つの手段に過ぎず、物理化学的に結合付着する物質、例えば消毒薬粒子等を化学的に分離清浄化する事は不可能であり、完全なハウスの清浄化を期待することは不可能である。
【００１０】            更に又此の装置は、園芸ハウスの屋根上の垂木上を走行してその進行方向に散水しながら洗浄ロールで此の屋根シートを洗浄する様に構成されたものであるから，ハウスの下部からの洗浄操作とその作業後の移動作業には、相当の労力を必要とする欠点があると推測される。
【００１１】            本発明は、此の様な特殊な清浄機を使用する事無く、又通常の如く、曇化したこの種資材を廃棄する事無く、特殊浸漬液中に所定時間浸漬するのみで物理化学的に清浄化して再生し、園芸ハウス用として再使用する事を課題とする。
【課題を解決する為の手段】
【００１２】            斯くの如き課題を解決する為に本発明は：
（１）  先ず第一に園芸ハウス透明シート（又はトンネル型保温シート）を解体、分離する。
（２）  次いで此れ等解体、分離されたシートを、所定寸法に連結するかせずして、ケージ内に折畳むか又はケージ内に収納せず折畳んで浸漬作業を準備する。
（３）  更に此の折り畳まれたシートを、下記成分を含んだ混合浸漬液浴槽の内外に配置し、その表裏両面を清掃した後浸漬し、気泡や空気が此の両面に滞留又は付着しないように注意すると共に、シート面が常に伸張した状態で所定時間浸漬する。
（４）  所定時間浸漬処理された此のシートは、乾燥され、ロール化又は折り畳まれて再生品とされ、園芸ハウス外被シートとしてリサイクルされる。
（５）  この際の清浄化浸漬液は、所定割合の酢酸、重曹、市販洗剤、天然ミネラルウォーター、及び水より成る混合液を使用し、常時混合槽内に貯蔵して、必要に応じて前記浸漬液浴槽に供給し得る様に敷設する。
（６）  前記浸漬混合液は、所定回数処理された後、必要に応じて濾過し、還流して再使用される。
（７）  此れ等の作業は自動的又は手動的に実施される。
等の手段及び工程を組合せて実施する事を特徴とする。
【発明の効果】
【００１３】        かかる構成及び作用によって本発明は、：
（ａ）  従来産業ごみとして処理されていた使用済み園芸用シートが，清浄化されてリサイクルされるので、高騰を続ける化石燃料資源の節約に役立ち、その経済的効果は極めて大きい。
（ｂ）  シートの浄化を実施する混合浸漬液の殆どが、市販品で賄えると同時に、その清浄化作業が、単に所定時間の浸漬のみで達成できるので、その再生が容易且つ安価である。
（ｃ）  園芸ハウスの透明シート製品は、その単位寸法が規格化されているので、ハウスの建設寸法を、此のシート寸法に合わせて設計すれば，その建設，清掃，解体、清浄化、等の再生作業が行い易く、作業中のシーとの無駄を極めて少くする事が出来る。
（ｄ）  園芸ハウスシート内外両面に付着する物質が、微細浮遊ごみ、薬物、土壌微粉、肥料等と夫々異なっているので、各自物質を除去し清浄化するには、一種類の薬液では不可能である。
従って種々な特性を持つ複数物質の中性混合液を使用して、単一浸漬工程で清浄化作業を完了する様に構成しているので、作業経費及び作業設備費が安価であり、使用する浸漬液も中性であるから、作業者、環境に優しく、その廃液処理も簡単且つ安価で終える事が出来る。
（ｅ）  上記のように、園芸ハウスシート製品の寸法が規格化されているので、栽培規模を決定すれば、それに応じて個人或いは組織何れによっても、手動的若しくは自動的に単一浴槽内で比較的簡単に処理することが出来る。
【発明を実施する為の最良の形態】
【００１４】        上記の如く構成された本発明を実施する為の最良の形態は、園芸ハウスシートの内外両面上に付着した曇化性物質が、例えば煤煙、砂、種々なダスト等の物理的付着物質や、農薬、タール、酸性雨中の化学物質等の化学的又は物理化学的付着物質を多数含んでいるので、単なる一薬液又は単一機械的処理で物理的又は化学的に清浄化する事は不可能である。
従って、夫々の付着物を複数工程で物理的、化学的に除去する必要があり、可能な限り此の工程を少なくして作業の効率化を図り、経費を節約する必要がある。
それ故に本発明では、斯くの如き性質の異なる付着物質と此れを清浄化し得る物質とを特定し、夫々の汚染成分を可能な限り少ない工程で清浄化する事を必須の条件としている。
そこで本発明に於いては、以下実施例に例示する市販の安価な物質を特定し且つ此れ等を混合して中性の混合液とし、略単一工程で浸漬清浄化する事を提案した。
【００１５】        又、この種シート製品の寸法は、規格化されているので、農作物栽培規模、栽培施設の大きさに従って、その清浄方法又は装置の規模も選択されるのが好ましい。
例えば、大規模の施設園芸農家又は組合組織等では、一度に大寸法のシートを大量に処理しなければならないので、その処理装置又は清浄化手段は、必然的に大型化、自動化としなければならず、小規模の零細農家等では、経済的又省力的見地から、手動的小規模処理手段とするのが好ましい。
【００１６】        更に、斯くの如き手動又は自動的に処理された再生品は、夫々の両端の剥離部分又は取り外し部分は、処理不良又は破損部分となり勝ちのため、此の部分は切り捨てて再度施設フレーム上又は耕作畝上に順次取り付け、，かまぼこ型、ドーム家屋型又はトンネル型等の農業又は園芸施設の再生に有利にリサイクルされる。
【００１７】        更に又、此の清浄化に使用される前記混合液は、可能な限り安価な市販品を使用して再生コストの削減を図り、その処理工程中、環境を害さない成分であることが好ましく、使用済み又は使用効果の劣化した此の溶液は，ろ過し、濃縮化して再使用するのが好ましい。
以下に本発明の実施例を図面を参照して説明する。
【実施例】
【００１８】        通常、園芸ハウス（１）は、その採光率、保温性、物理的堅牢性、資材量、建設難易度等を考慮して種々な構造が提案されているが、一般に、図１に示すが如き、高さ約２ｍの側壁（２）（４）を持ち、間口幅約４ｍの蒲鉾型ハウスが多く散見されている。【００１９】        この種蒲鉾型ハウスの透明外皮シート例えばポリ塩化ビニール、ポリエチレン、ポリプロピレンしート等の使用量は、図２の展開図で示す様に、相当広い単位面積を必要とする。
即ち、その面積は［２ｍ（側壁面高さ：ｅ，ｈ）ｘ  ２  ＋  ４．５ｍ（ドーム面円周：ｆ＋ｇ）ｘ  ４０ｍ（奥行き長さ：Ｘ）］＝  ３４０ｍ２  もの広さである。【００２０】        一方、一般の農家が使用する保温，霜よけ用トンネル型シートは、大小の畝の両側から、適当な弾性物質の円弧状フレームを差込み、その上から透明シートを被覆貼着したもので、適当長さの最大幅２ｍ（規格寸法）以下の取り扱いやすい容量のものである。【００２１】        従って、此の様なシートの薬液による清浄化処理には，人手の少ない一農家の、然も女手でも取り扱い得る寸法の物とするのが好ましく、設備する薬液処理槽の容量をも考えて、シート幅を規格品以下のものとするのが普通である。
以下、此の様な農業園芸シートの処理容量の大小に従う本発明の手動式、自動式清浄化方法及び清浄化装置に就いて説明する。【００２２】        先ず図４には、比較的小容量の農作物保温、霜よけ用に使用する一般農家用トンネル型シートの清浄化再生装置が示されている。
此のシートは、園芸ハウスに使用するシートと異なり、比較的強度を必要としないので、安価なフィルム状の塩化ビニール、ポリエチレン、ポリプロピレン等の合成樹脂シートが使用される。【００２３】        此の程度の寸法のシートであれば、農家の主婦でも容易に一人で取り扱うことが出来、例えば（１‘）で示す如く、使用済みシートを畝上の支柱フレームから取り外し、適当に折畳むか丸めるかした上で、適当な寸法のケージ（Ｋ）内に収納するか又は収納せず、比較的小型の清浄液浸漬浴槽（Ｂ’）内に懸垂手段（Ｈ）で吊り下げるか、図１の（１ｅ）で示す如く、前記浴槽外に折畳んで配置する。【００２４】        此の浸漬されたケージ内のシート（１‘）は、夫々の折畳み層間に気泡又は空気（２０）が付着又は滞留し易いので，清浄化の斑を防ぐ為に、適当な手段で此れ等を追い出す事が必要である。
その為に、時々此の層間を棒又は手で掻き混ぜて滞留気泡等を追い出すのが好ましい。
此の様な滞留気泡を完全に排除出来れば、所定時間、即ち約二時間浸漬するのみで取り出し、乾燥後此れを延伸して表面の皺を取り除き、手動又は自動的に巻き取るか折畳んで再使用する。【００２５】        然しながら、此の脱気処理は難しく長時間を必要とするので、図示の如く、−対の誘導ローラー（ＩＲ）及び一個の遊びローラー又は誘導ローラー（ＩＲ’）を浴槽内に設けて上記の手段である程度脱気した後、浸漬したシートをケージ外（８）方向に取り出し、延伸状態で残余の浸漬期間を浸漬し、巻き取りローラー（ＰＲ）でロール化するか又は槽外のケージ（Ｋ’）内に折畳んで出荷するのが好ましい。
勿論此の場合のシート（１‘）は、図１の如く、ケージ（Ｋ）を使用する事無く、槽外から直ちに浴槽内の延伸誘導ローラー（ＩＲ）を介して浸漬する事も可能であるが、浴槽の容量を小型化するためには、前者のケージ浸漬方法を併用するのが有利である。【００２６】        この際の浸漬混合液（ＭＳ）は、以下の如き混合割合の諸成分より成る。即ち：
水（水道水、井戸水）１０Ｌに対し；
（ａ）重曹（工業用又は一般用）１Ｌ（約１０ｇ水溶液）
（ｂ）酢酸）醸造又は工業用酢酸）２Ｌ
（ｃ）洗剤（一般用）０．５Ｌ（０．７ｇ水溶液）
（ｄ）天然ミネラルウォーター３Ｌ【００２７】        此の様な割合の浸漬混合液（ＭＳ）は、混合槽（Ａ）内で攪拌混合されて貯蔵され、適宜給送ポンプ（Ｇ）を作動して、出口（５）、導管（６）、（７）を経て浸漬浴槽（Ｂ）内に供給される。
この際の浸漬浴槽（Ｂ）の容量は、処理される使用済みシートの寸法及び浸漬条件、即ち上記した折畳みケージ浸漬、槽内誘導浸漬、或いは此れ等両者の併用方式かに依って異なり、処理時間が２時間にも及ぶので、その浸漬密度の大きい図４の折畳みケージ浸漬−延伸浸漬方式を採用して、可能な限り浸漬浴槽の容量を減少するのが好ましい。
然しながら、折畳み積層を増大させると、夫々の層間に気泡又は空気（２０）が滞留し易いので、可能な限り此れ等を追い出し、清浄化の斑を防ぐ事が重要である。【００２８】        又、此の浸漬液は中性である為、比較的扱い易い寸法のトンネル型農作物保温、用シート等の場合には、掻き混ぜ棒等を使用せず、衣類の洗濯と同様に、先ず此の液内に手を入れて掻き混ぜ、シート表面上に付着した気泡又は空気を追い出し、場合に依っては、若干もみ洗いも行って、斑無く洗浄液を表面に付着させ、所定時間浸漬して均一に透明化したかを確かめた後、作業者自身が此のシートを槽外に取り出して折畳むか、或いは巻き取り機（ＰＲ）に掛けて手動的に巻き取り、ロール化して出荷する事も可能である。
勿論、ごく小容量のシートの場合は、通常の洗濯の如く、所望容量の容器内で上記清浄混合液を調整し、適当に脱気しながら所定時間浸漬して清浄化する事も出来る。【００２９】        一方、例えばかまちの高さ２ｍ、ハウス幅４ｍ、奥行き４０ｍの蒲鉾型園芸ハウス主部（前後出入り面を除く）の建設の場合、必要とする透明シートの凡その使用面積は、前記した如く、約３４０ｍ２（但し前記天井ドーム円周を４．５ｍとした場合）を必要とするが、今もし、此の園芸ハウスを敷設する場合、最も簡単な方法としては、２ｍ幅ｘ２００ｍ長さの規格シート２本と４．５ｍ幅ｘ２００ｍ長さの特注シート１本とのロール資材を用意すれば、図２に示す如く，一棟の上記寸法の園芸ハウスシート分即ち、二枚の２ｍｘ４０ｍの側壁シート片（ｅ）（ｈ）又は（２）（４）と一枚の４．５ｍｘ４０ｍのドームシート片（ｆ＋ｇ）又は（３）を５セット切り出すことが出来、夫々を円弧状天蓋の垂木及び梁部分（Ｓ）（Ｓ）上に、適当な接着又は接続手段（Ｚ）（Ｚ）で接続して固着すれば、五棟の園芸ハウス主部を建設する事が出来る。【００３０】        従って、逆に使用済みのシートの再生時には、上記ハウスフレームから取り外された一枚のシート（１‘）から、前記連結手段（Ｚ）（Ｚ）・・・を取り外す事により、２枚の側壁面（ｅ）（ｈ）と１枚のドームシート（ｇ＋ｈ）との３枚のシートに分離し、夫々を２ｍ幅、４０ｍ長さ及び４．５ｍ幅、４０ｍ長さの折畳み再生処理材料として準備することが出来る。此の様なやや大きい寸法の処理材は、図４のトンネル型保温シート処理用の小型浴槽では処理できないか或いは能率が悪いので、図３に示すやや大型の浸漬処理装置を使用して自動的に処理するのが有利である。
以下にその実施の態様を詳述する。【００３１】        先ず本実施態様に於いては、使用する被処理シートが大容量となるので、必然的にその浸漬液浴槽も上記手動型処理の場合より大型と成らざるを得ず、使用する浸漬混合液（ＭＳ）も又、相当大量に調整して混合槽（Ａ）に準備され、タイマー付き電磁弁（Ｅ），給送ポンプ（Ｇ）を介して、出口（５）、パイプ（６）及び（７）を経て適宜自動的に浸漬浴槽（Ｂ）内に供給される。【００３２】        一方、此の浸漬浴槽（Ｂ）は、槽外のシート供給側に、ケージ内に収納されているかいない被処理シート（１‘ｅ）、此のシートを浴槽（Ｂ）に誘導する誘導ローラー（ＧＲ）及び此れより送り出されるシートの両面をブラシングする一対のブラシ［９］を備え、その内側には、前記ブラシから送り出されたシート（８）を、混合浸漬液（ＭＳ）の所定深さに誘導し、此の深さで緊張索引する適当数のテンションハンガー（１０）、（１１）、（１２）及び遊びローラー（ＩＰ）（ＩＰ’）を備え、更にその槽外給送側には、乾燥手段（１３）及び巻き取り装置（ＰＲ）を備えている。【００３３】        一方、此の大型のシート浸漬浴槽（Ｂ）では、前記した様に大量の浸漬液を必要とするので、大量の浸漬液を自動的且つ間歇的にパイプ（６）（７）、ポンプ（Ｇ）を介して所定深さまで供給し、所定時間例えば２時間被処理シートを浸漬し、充分清浄化され透明化するまで浸漬される。【００３４】        この際、前記シート（１‘ｅ）は、その上下両面上に気泡又は空気層が付着，滞留しないように注意するのが好ましく、必要ならば、必要数のテンションハンガー（１１）を浴槽内に取り付けて、常にシート表面に皺が生ぜず、気泡、空気黙りが発生、付着しない様に維持するのが好ましい。【００３５】        此の様な状態で浴槽内に約２時間浸漬して、表面に付着する物理的、化学的付着物を洗浄若しくは溶解させて清浄化し、最終的に遊びローラー（ＩＲ‘）で伸張状態のままテンションハンガー（１２）を経て取り出し、乾燥手段（１３）で乾燥した後、巻き取りローラー（ＰＲ）でロール状に巻き取って、（１４）方向に再生品として出荷する。
此の浴槽浸漬時間は、前記巻取りローラー（ＰＲ）の回転を制御して、自動的、継続的に行うのが有利であるが、浴槽長さのシートの浸漬清浄化を一サイクルとして、繰り返し自動処理するサイクル法も採用することも出来る。【００３６】        斯くの如き処理を行う浸漬浴槽内の混合液（ＭＳ）は，長時間の使用に依って汚染され且つ希釈されるので、所定時間経過後、導管（１５）を経て取り出し、浸漬済み液貯蔵層（Ｄ）に貯蔵し、適当な時期に濾過装置（Ｆ）でろ過し、電磁弁（１６）、導管（１７）、及びポンプ（Ｐ）を経て浸漬液混合槽（Ａ）に返還され、適当にその濃度を調整して再使用される。
又、濾過後の残渣は，中和槽（１８）で適当に処理されて（１９）方向に排出される。【００３７】        此の様な処理は、浸漬作業のみの単純作業であり、表裏両面の付着異質物質を物理化学的に剥離沈降及び溶解除去して清浄化を完了するまでに２時間に亘る浸漬処理が必要なので、自動的に昼夜を分かたず作業を続行するのが好ましく、必然的に適当なセンサー及びコンピューター等を利用して自動操作、自動管理とするのが有利である。【００３８】        他方、処理されるべき材料は、細長い寸法のシートであるから、少量のものであれば、図４の如く、人為的に折畳むか又は一纏めにしてケージ内に収納し、浴槽内に浸漬し、適宜人為的に脱気しながら不透明部分の斑の発生を防ぐことも出来るが、処理時間が２時間にも及ぶので、可能な限り小容量の浸漬液で大容量のシートを処理出来る様な浴槽構造とするのが好ましく，例えば被処理シート（１‘）を適当に折畳むか丸めてケージ内に収納し、槽内外に配置し、図３又は図４に示す如く、伸張誘導しながら処理することも出来、一層内で複数列のシートを一度に清浄化することも又可能である。
勿論、一般農家が使用する取り扱い易いトンネル型保温シート等の小容量のシートの清浄化では、単にこの種浸漬槽内に適当に折畳むか或いは丸めたまま浸漬し、夫々のシート間に手を入れるか、掻き混ぜ棒等で掻き混ぜて適宜付着気泡又は滞留空気を追い出してそれら表面に浸漬液をなじませて程よく透明化する事も可能である。
勿論、此の浸漬液は上記した様に中性の液体であるから、人体、衣服、環境何れにも悪影響を及ぼす事は皆無である。
【図面の簡単な説明】
【００３９】        図１は、ドーム型園芸ハウスの一例を示す正面図である。
図２は、図１の園芸ハウスの前後面のシートを取り除いたハウスシートの展開図だる。
図３は、上気分解剥離園芸ハウスシートのコンピューター管理浸漬清浄化装置の説明図である。
図４は、同種シート特に農作物保温トンネル型シートの手動又は一部自動の清浄化装置の説明図である。
【符号の説明】
【００４０】          １                ドーム型園芸ハウス
１‘              上記ハウスシートの両壁面及び天井ドーム面部の展開図で                            ある。
Ａ                浸漬液混合槽
Ｅ                電磁弁
Ｇ                給送ポンプ
ＧＲ              誘導ローラー
Ｂ                浸漬浴槽
ＩＲ              遊びローラー
９                ブラシ
１０              テンションハンガー
１２              同
ＰＲ              巻き取りローラー
Ｄ                使用済み液貯槽
Ｆ                濾過装置
Ｋ                ケージ
【図１】
2010089063.tif 000003
【図２】
2010089063.tif 000004
【図３】
2010089063.tif 000005
【図４】
2010089063.tif 000006
【手続補正書】
【提出日】平成20年12月9日(2008.12.9)
【手続補正１】
【補正対象書類名】明細書
【補正対象項目名】００３９
【補正方法】変更
【補正の内容】
【００３９】
【図１】  ドーム型園芸ハウスの一例を示す正面図である。
【図２】  図１の園芸ハウスの前後面のシートを取り除いたハウスシートの展開図である。
【図３】  上記分解剥離園芸ハウスシートのコンピューター管理浸漬清浄化装置の説明図である。
【図４】  同種シート特に農作物保温トンネル型シートの手動又は一部自動の清浄化装置の説明図である。